(57)【要約】【課題】アクセサリ側の接続端子と接触するレンズ鏡筒側の接続端子を雨露等から保護しつつ、容易にアクセサリを取り付け可能なレンズ鏡筒を提供すること。【解決手段】アクセサリを装着可能なレンズ鏡筒であって、アクセサリ側の電気接点と接続される第一の電気接点２０３と、第一の電気接点２０３を遮蔽することが可能なバリア部材２０５を有し、バリア部材２０５はアクセサリを装着時に第一の電気接点２０３を露出し、アクセサリを取り外し時は第一の電気接点２０３を遮蔽することを特徴とする。【選択図】図３
2020008704.tif 000002
【特許請求の範囲】
【請求項１】
アクセサリを装着可能なレンズ鏡筒であって、
アクセサリ側の電気接点と接続される第一の電気接点と、
前記第一の電気接点を遮蔽することが可能なバリア部材を有し、
前記バリア部材はアクセサリを装着時に前記第一の電気接点を露出し、アクセサリを取り外し時は前記第一の電気接点を遮蔽することを特徴とするレンズ鏡筒。
【請求項２】
前記アクセサリ側の電気接点と前記第一の電気接点が接触する前に前記バリア部材が前記第一の電気接点を露出させるバリア退避機構を有することを特徴とする請求項１に記載のレンズ鏡筒。
【請求項３】
前記バリア退避機構は前記アクセサリの電気接点と前記第一の電気接点が接触する前にアクセサリと当接する当接部を有し、前記当接部が移動することで前記第一の電気接点を露出させることを特徴とする請求項２に記載のレンズ鏡筒。
【請求項４】
前記第一の電気接点とは別の第二の電気接点を有し、前記第二の電気接点はカメラ本体と通信することを特徴とする請求項１乃至請求項３の何れか一項に記載のレンズ鏡筒。
【請求項５】
請求項１乃至請求項４の何れか一項に記載のレンズ鏡筒を有することを特徴とする光学機器。
【発明の詳細な説明】
【技術分野】
【０００１】
本発明は、レンズ鏡筒及びそれを有する光学機器に関する。
【背景技術】
【０００２】
従来、デジタル一眼カメラ用のレンズ鏡筒（交換レンズ）には、撮影補助のアクセサリとしてフードやフィルター、電動ズームを可能とする駆動装置等が取り付けることが可能となっている。これらのアクセサリの中にはアクセサリ側の情報をレンズ鏡筒側に伝送する接続端子を備え、レンズ鏡筒側の接続端子と接触することで種々の情報を伝送できるものが知られている。
【０００３】
特許文献１には、レンズフードが測距センサを備えており、測距センサで取得された距離情報をレンズ鏡筒を介してカメラ本体に伝送する構成が開示されている。
【先行技術文献】
【特許文献】
【０００４】
【特許文献１】特開２００７−１７１５０５号公報
【発明の概要】
【発明が解決しようとする課題】
【０００５】
しかしながら、特許文献１にて開示されたレンズフードが装着されていない状態ではレンズ鏡筒側の接続端子がむき出しとなっている。例えば、レンズフードが装着されていない状態でレンズ鏡筒を使用すると、レンズ鏡筒側の接続端子に雨露等が付着する可能性があり、その状態でレンズフードを装着すると、電気的にショートする可能性がある。
【０００６】
カメラ本体で言うと、カメラ本体は発光装置、電子ビューファインダー、リモートスイッチ等のアクセサリが取付く接続端子を有している。発光装置や電子ビューファインダーとの接続端子は、取り外し可能な部品を設ける構成とすることで接続端子を遮蔽することが可能となっている。また、リモートスイッチ等との接続端子は、カメラ本体に一体的となった端子カバーを設けることで接続端子を遮蔽することが可能となっている。これにより、アクセサリが取り付いていない状態において接続端子を雨露等から保護可能となっている。しかし、接続端子を露出させるにはこれらの保護部品を取り外すといった作業が生じる。また、保護部品の紛失の可能性や接続端子が遮蔽された状態で誤ってアクセサリを取り付けようとすると、保護部品やアクセサリ側の接続端子を破損するといった可能性がある。
【０００７】
本発明は、このような状況を鑑みてなされたものであり、アクセサリ側の接続端子と接触するレンズ鏡筒側の接続端子を雨露等から保護しつつ、容易にアクセサリを取り付け可能なレンズ鏡筒を提供することを目的とする。
【課題を解決するための手段】
【０００８】
上記の目的を達成するために、本発明に係るレンズ鏡筒は、
アクセサリを装着可能なレンズ鏡筒であって、アクセサリ側の電気接点と接続される第一の電気接点２０３と、第一の電気接点２０３を遮蔽することが可能なバリア部材２０５を有し、バリア部材２０５はアクセサリを装着時に第一の電気接点２０３を露出し、アクセサリを取り外し時は第一の電気接点２０３を遮蔽することを特徴とする。
【発明の効果】
【０００９】
本発明によれば、アアクセサリ側の接続端子と接触するレンズ鏡筒側の接続端子を雨露等から保護しつつ、容易にアクセサリを取り付け可能なレンズ鏡筒を提供することができる。
【図面の簡単な説明】
【００１０】
【図１】本発明の第１実施形態に係るレンズ鏡筒を適用可能な一眼レフカメラの構成を示す断面図である。
【図２】図１に示す撮像装置の電気的構成を示すブロック図である。
【図３】第１実施形態に係るレンズ鏡筒の下面図である。
【図４】第１実施形態に係るレンズ鏡筒の構成例を示す図である。
【図５】第１実施形態に係るレンズ鏡筒のバリア退避機構を示す図である。
【図６】第２実施形態に係るレンズ鏡筒の下面図である。
【図７】第２実施形態に係るレンズ鏡筒の構成例を示す図である。
【図８】第２実施形態に係るレンズ鏡筒のバリア退避機構を示す図である。
【発明を実施するための形態】
【００１１】
以下、本発明を実施するための形態について、図面を参照しながら説明する。
【００１２】
（第１実施形態）
まず、本発明の第１実施形態に係るレンズ鏡筒を適用可能な撮像装置（光学機器）について説明する。ここでは、このような撮像装置の一例として、レンズ交換式デジタル一眼レフカメラを挙げる。
【００１３】
図１は、本発明の第１実施形態に係るレンズ鏡筒を搭載したレンズ交換式デジタル一眼レフカメラの構成を示す断面図である。
【００１４】
図１に示すように、レンズ交換式デジタル一眼レフカメラは、カメラ本体１と、レンズ鏡筒（交換レンズ）２００とを備える。カメラ本体１は、撮像素子６、メモリ７、レリーズボタン１１、クイックリターンミラー１３、およびファインダ光学系１４を備える。撮像素子６は、ズーム光学系２により形成された被写体像を光電変換するＣＣＤセンサやＣＭＯＳセンサ等を含む。メモリ７は、撮像素子６からの出力に基づいて生成された画像データ等を記憶する。また、電源１０は、カメラ本体１およびレンズ鏡筒２００の電源である。レンズ鏡筒２００は、カメラ本体１に対して着脱可能である。なお、レンズ鏡筒２００は、図１に示すようなカメラのみならず、撮像素子を備えたデジタルスチルカメラ、ビデオカメラ、または銀塩フィルムを使用するスチルカメラなどの撮像装置に対して着脱可能なレンズ鏡筒とする。ただし、レンズ鏡筒２００は、撮像装置に内蔵するものであってもよいし、撮像装置に限らず、例えばいわゆるプロジェクターなどの投射装置に着脱するレンズ鏡筒、または投射装置に内蔵するものであってもよい。
【００１５】
このようなレンズ鏡筒２００は、ズーム光学系２、防振駆動部３、振れセンサ８、フォーカス駆動部９、固定筒２０１、マウント部材２０２、および制御基板（不図示）を備える。ズーム光学系２は、レンズ鏡筒２００内に設けられ、複数のレンズユニットを有する。防振駆動部３は、ズーム光学系２に含まれる防振レンズユニット１２を、ズーム光学系２の光軸４に直交する方向に駆動する。固定筒２０１は、ズーム光学系２を収容する。振れセンサ８は、手振れ等を検出する。フォーカス駆動部９は、ズーム光学系２に含まれるフォーカスレンズユニットを駆動する。マウント部材２０２は、カメラ本体１にレンズ鏡筒２００を着脱可能に装着する。制御基板には、レンズシステム制御回路が構成されている。固定筒２０１は、マウント部材２０２を固定する。
【００１６】
次に図２を参照して、カメラ本体１およびレンズ鏡筒２００の電気的構成について説明する。
【００１７】
カメラは、撮像系、画像処理系、記録再生系および制御系を有する。撮像系は、撮像素子６により構成されている。画像処理系は、Ａ／Ｄ変換器２０および画像処理回路２１を含む。記録再生系は、記録処理回路２３およびメモリ７を含む。制御系は、カメラシステム制御回路２５、ＡＦセンサ２６、ＡＥセンサ２７、および操作検出回路２９を含む。
【００１８】
レンズ鏡筒２００は、振れセンサ８、およびレンズシステム制御回路３０を含む。画像処理回路２１は、Ａ／Ｄ変換器２０を介して撮像素子６から受けた出力信号に対してホワイトバランス、ガンマ補正、補間演算等の各種処理を施して画像データを生成する。記録処理回路２３は、メモリ７への画像データの記録処理を行うとともに、液晶モニタ等により構成される表示部２２に出力する画像を生成する。操作検出回路２９は、レリーズボタン１１等の操作部材の操作を検出し、操作検出信号をカメラシステム制御回路２５に送る。カメラシステム制御回路２５は、操作検出信号に応じてカメラ本体１およびレンズ鏡筒２００内の各部を制御する。
【００１９】
ＡＦセンサ２６は、レンズ鏡筒２００のピント状態を検出する。また、ＡＥセンサ２７は、被写体の輝度を検出する。振れセンサ８は、カメラ振れを検出する。カメラシステム制御回路２５は、ＡＦセンサ２６、ＡＥセンサ２７および振れセンサ８からの信号に基づいて、フォーカシング、絞りおよび防振動作を制御するための信号をレンズシステム制御回路３０に出力する。レンズシステム制御回路３０は、カメラシステム制御回路２５からの信号に応じて、フォーカス駆動部９、絞り駆動部（不図示）および防振駆動部３を制御する。
【００２０】
ここで、本発明の第１実施形態に係るレンズ鏡筒の大まかな構成にについて図３を参照して説明する。
【００２１】
図３は、本発明の第１実施形態に係るレンズ鏡筒２００の下面図であって、図３（ａ）はアクセサリとの接続端子２０３が遮蔽された状態を示し、図３（ｂ）はアクセサリとの接続端子２０３が露出した状態を示す。なお、接続端子２０３はアクセサリが取付いた状態でのみが露出し、図３（ｂ）に示すようなレンズ鏡筒単体では接続端子２０３が露出することはない。詳細の構成については後述する。
【００２２】
マウント部材２０２には、カメラ本体１とレンズ鏡筒２００との間で通信を行うための金属製の電気接点部材が複数本インサート成形されている樹脂製の接点ブロック部材２０４がネジにより取り付けられている。接点ブロック部材２０４と制御基板は不図示のフレキシブルプリント配線基板を介して接続されている。マウント部材２０２は、固定筒２０１にネジにより取り付けられている。固定筒２０１は、変倍（ズーミング）および焦点調節（フォーカス）に際して不動である。２０５はバリア部材でありレンズ鏡筒２００にアクセサリが装着されていない状態では、接続端子２０３を遮蔽する。
【００２３】
２０６はズーム操作環であり、変倍時に撮影者によって回転される。ズーム操作環２０６を回転操作することでズーム光学系２が光軸方向に進退し、これによりズーム光学系２の焦点距離を変更することが可能となる。
【００２４】
２０７はフォーカス操作環であり、マニュアル焦点調節時に撮影者によって回転される。フォーカス操作環２０７を回転操作することでズーム光学系２に含まれるフォーカスレンズユニットが光軸方向に進退し、これによりズーム光学系２の焦点調節が可能となる。
【００２５】
２０８はフィルター枠であり、外径側にフード、内径側にフィルターやレンズキャップ等のアクセサリを取り付けることが可能となっている。
【００２６】
次に、本発明の第１実施形態に係るレンズ鏡筒のバリア退避機構について図４および図５を参照して説明する。図４（ａ）は、本実施系形態に係るレンズ鏡筒２００の背面図であり、このレンズ鏡筒２００に対してアクセサリとしてのパワーズームアダプタ３００を装着直前の状態を示している。レンズ鏡筒２００とパワーズームアダプタ３００をＹ方向に近づけることでパワーズームアダプタ３００は装着される。図４（ｂ）は、レンズ鏡筒２００にパワーズームアダプタ３００が装着された状態の側面図を示している。装着された状態では、ズーム操作環２０６に設けられたギア部２０６ａとパワーズームアダプタ３００の出力ギア３０１が噛み合い、パワーズームスイッチ３０２を操作することで滑らかなズーム操作が可能となる。
【００２７】
図４（ａ）に示すようにパワーズームアダプタ３００はレンズ鏡筒２００の接続端子２０３と当接する接続端子３０３を有している。さらに、レンズ鏡筒２００とパワーズームアダプタ３００の接続端子同士が当接する前に、レンズ鏡筒２００のスライド部材２０９と当接する当接ピン３０４を有する。当接ピン３０４は、固定筒２０１の穴部２０１ａを貫通し、スライド部材２０９と当接する。レンズ鏡筒２００はスライド部材２０９と当接ピン３０４が当接してスライド部材２０９が移動することで、バリア部材２０５を退避させて接続端子２０３を露出させるバリア退避機構を備えている。このバリア退避機構について図５を参照してさらに詳しく説明する。
【００２８】
バリア退避機構は、固定筒２０１、バリア部材２０５、スライド部材２０９、および弾性部材２１０から構成される。バリア部材２０５、およびスライド部材２０９は固定筒２０１に対して光軸方向（図中のＸ方向）進退可能に支持されており、弾性部材２１０の左側端部は固定筒２０１に対して不変の位置にいる。図５はバリア退避機構を簡易的に示した図であり、図５（ａ）は接続端子２０３が遮蔽された状態（図３（ａ）の状態）を示しており、図５（ｃ）は接続端子２０３が露出した状態（図３（ｂ）の状態）を示している。また、図５（ｂ）は図５（ａ）をＹ方向から見た図であり、図５（ｄ）は図５（ｃ）をＹ方向から見た図である。バリア部材２０５は、スライド部材２０９の連結部２０９ａと連結しており、これによりバリア部材２０５は、スライド部材２０９と一体的に移動が可能なる。スライド部材２０９は、弾性部材２１０により光軸方向に付勢されており、スライド部材２０９の斜面２０９ｂと当接ピン３０４が当接してない状態では、バリア部材２０５が固定筒２０１の規制部２０１ｂ（図３参照）と当接し、光軸方向の位置が決まる。なお、弾性部材２１０一方の端部は、スライド部材２０９の突起部２０９ｃと係合しており、他方は固定筒２０１の突起部（不図示）と係合している。
【００２９】
これに対して、スライド部材２０９の斜面２０９ｂと当接ピン３０４を当接させ、当接ピン３０４を＋Ｙ方向に押し込んだ状態では、弾性部材２１０の弾性力に抗してスライド部材２０９を−Ｘ方向に移動させる力が発生する。所定の押し込み量により、スライド部材２０９は図に示す距離Ｌだけ−Ｘ方向に移動する。
【００３０】
本実施形態では、スライド部材２０９が距離Ｌ移動すると、接続端子２０３が露出する構成としている。さらに、接続端子２０３が露出した状態で始めて、パワーズームアダプタ３００側の接続端子３０３と当接する構成としている。以上のように、本実施形態によれば、アクセサリが装着されていない状態では、接続端子２０３をバリア部材２０５により遮蔽することが出来る。さらに、アクセサリを装着する際にバリア部材２０５が自動的に接続端子２０３を露出させる構成となっているので、専用のカバーやキャップ等を設ける必要が無く、それらの取り外し等の作業も発生しない。したがって、アアクセサリ側の接続端子と接触するレンズ鏡筒側の接続端子を雨露等から保護しつつ、容易にアクセサリを取り付け可能なレンズ鏡筒および光学機器を提供することができる。
【００３１】
（第２実施形態）
次に、本発明の第２実施形態に係るレンズ鏡筒のバリア退避機構について図６〜８を参照して詳しく説明する。
【００３２】
第１実施形態では、パワーズームアダプタ３００をレンズ鏡筒２００に対して、径方向から片寄して取り付けた。これに対して、本実施形態に係るレンズ鏡筒では、パワーズームアダプタ３００をレンズ鏡筒２００に対して、回転させて取り付ける点が第１実施形態と異なる点である。
【００３３】
図６は、本発明の第１実施形態に係るレンズ鏡筒２００の下面図であって、図６（ａ）はアクセサリとの接続端子２０３が遮蔽された状態を示し、図６（ｂ）はアクセサリとの接続端子２０３が露出した状態を示す。なお、第１実施形態と同様に、接続端子２０３はアクセサリが取付いた状態でのみが露出し、図６（ｂ）に示すようなレンズ鏡筒単体では接続端子２０３が露出することはない。詳細の構成については後述する。
【００３４】
本実施形態においては、第１実施形態の構成要素と同一のものには同一の符号を付し、その詳細な説明は省略する。
【００３５】
本実施形態に係るレンズ鏡筒２００では、バリア部材２０５は固定筒２０１に対して光軸回りに回転可能に支持されており、パワーズームアダプタ３００の回転ピン３０５と係合する穴部２０５ａを有している。
【００３６】
図７は、本実施系形態に係るレンズ鏡筒２００の背面図であり、レンズ鏡筒２００に対してパワーズームアダプタ３００を装着直前の状態を示している。
【００３７】
レンズ鏡筒２００に対してパワーズームアダプタ３００を装着させるには、図７の状態になるように双方を近づけ、回転ピン３０５をバリア部材２０５の穴部２０５ａに挿入させる。それからパワーズームアダプタ３００を反時計回りに回転させることでパワーズームアダプタ３００は装着される。
【００３８】
図８は、本実施系形態に係るレンズ鏡筒２００のバリア退避機構を簡易的に示した図であり、図８（ａ）は接続端子２０３が遮蔽された状態（図６（ａ）の状態）を示しており、図８（ｂ）は接続端子２０３が露出した状態（図６（ｂ）の状態）を示している。
【００３９】
バリア退避機構は、固定筒２０１、バリア部材２０５、弾性部材２１１、および接続ピン２１２から構成される。バリア部材２０５は固定筒２０１に対して光軸回りに回転可能に支持されており、弾性部材２１１のフック部２１１ａは固定筒２０１に対して固定されている。バリア部材２０５と弾性部材２１１は、バリア部材２０５の接続穴２０５ｂと弾性部材２１１のもう一方のフック部（不図示）に挿入される接続ピン２１２により接続されている。これにより、バリア部材２０５に回転ピン３０５が挿入されていない状態では、バリア部材２０５は弾性部材２１１の弾性力によりレンズ鏡筒の背面から見て時計回りに回転する力を受けて、固定筒２０１に設けた不図示の規制部に当接し位置が規制される。
【００４０】
これに対して、バリア部材２０５に回転ピン３０５を挿入し、パワーズームアダプタ３００をレンズ鏡筒の背面から見て反時計回りに光軸回りに回転させると、バリア部材２０５も同じ量だけ回転する。バリア部材２０５が回転すると、徐々に接続端子２０３が露出し、最終的には図８（ｂ）に示す状態となり、パワーズームアダプタ３００側の接続端子３０３と当接する。このような本実施形態によっても、第１実施形態と同様の効果を奏する。
【００４１】
以上、本発明の好ましい実施形態について説明したが、本発明は、これらの実施形態に限定されず、その要旨の範囲内で種々の変形および変更が可能である。
【符号の説明】
【００４２】
２００  レンズ鏡筒、２０１  固定筒、２０３  接続端子、２０５  バリア部材、
２０５ａ  穴部（当接部）、２０９  スライド部材（当接部）、２１０  弾性部材、
２１１  弾性部材、２１２  接続ピン、３００  パワーズームアダプタ（アクセサリ）、
３０３  接続端子、３０４  当接ピン、３０５  回転ピン
【図１】
2020008704.tif 000003
【図２】
2020008704.tif 000004
【図３】
2020008704.tif 000005
【図４】
2020008704.tif 000006
【図５】
2020008704.tif 000007
【図６】
2020008704.tif 000008
【図７】
2020008704.tif 000009
【図８】
2020008704.tif 000010